(57)【特許請求の範囲】
【請求項１】
シリンダ内面の中間部側壁に開口して形成され、内視鏡の先端において一端が開口した第１の管路の他端を接続した第１の開口部と、一端が吸引装置に接続される第２の管路の他端に接続した開口により形成された第２の開口部とを有したシリンダと、
前記シリンダ内面に摺動自在に嵌合される円筒部を備え、前記円筒部は下端を開放して前記第２の開口部に連通する開放用孔を形成してなり、前記円筒部の周側壁には前記第１の開口部に対向可能であって前記第１の開口部に対向したとき、前記第１の開口部に前記開放用孔を連通することにより前記第１の開口部と前記第２の開口部を連通させる管路制御孔を形成してなるピストンと、
を具備し、
前記円筒部の外周に前記円筒部の下端から前記管路制御孔の周囲の位置まで達し、かつ前記管路制御孔の周囲を残して段差を形成して前記シリンダ内面に接する前記円筒部の摺動部よりも小径の非嵌合部を設けたことを特徴とする内視鏡吸引制御装置。
【請求項２】
前記非嵌合部に位置する前記円筒部の周側壁に形成され、前記非嵌合部と前記シリンダ内面との間に形成される空間と前記開放用孔とを連通する貫通孔を有することを特徴とする請求項１に記載の内視鏡吸引制御装置。
【発明の詳細な説明】
【０００１】
【発明の属する技術分野】
本発明は、内視鏡内に形成された管路を通じて体腔内の汚物や粘液等を吸引する動作を制御する内視鏡吸引制御装置に関する。
【０００２】
【従来の技術】
一般に内視鏡はこれに設けた処置具挿通チャンネルに吸引チューブを接続し、処置具挿通チャンネルを通じて体腔内の汚物や粘液等を吸引して、これを外部に排出するようにしている。また、この吸引動作を制御するため、吸引チューブの途中には内視鏡吸引制御装置が設けられている（例えば特開平７−８４４８号公報を参照）。従来の内視鏡吸引制御装置はシリンダにピストンを摺動自在に嵌合した構造になっており、ボタン操作によりピストンを移動させることにより管路を切り換えるようになっている。
【０００３】
【発明が解決しようとする課題】
従来の内視鏡吸引制御装置はシリンダにピストンが嵌合しており、シリンダの内面にピストンの嵌合部周面を摺動させる構造である。このような構造のものにおいてはピストンの移動性が操作性に大きく影響する。特に吸引した汚物がシリンダとピストンの間に入り込み易いため、シリンダとピストンの間に入り込んだ汚物によって、ピストンの摺動抵抗が増し、これがピストンの動きを阻害し、ピストンの操作性を損なう。
【０００４】
従来の内視鏡吸引制御装置のものにはその摺動抵抗を低減するためにシリンダ内の奥部を大径に形成したものがあるが、このように、シリンダの内方奥部が大径になっているものでは、吸引制御装置を洗滌するとき、シリンダ内が非常に洗いにくい。
【０００５】
また、内視鏡の洗滌時にはピストンをシリンダから分離して洗滌する。また、ピストンをシリンダから外して保管しておくこともある。このように単独の状態にあるとき、ピストンを落し易い。ピストンを落した場合、ピストンの嵌合部に傷を付け易い。特に、ピストンの先端には傷が付き易い。ピストンの嵌合部に傷が付くと、ピストンの嵌合部の外形が変形し、シリンダに入らなかったり、無理に入れても摺動抵抗が大きくなり動きが悪くなったりする。
【０００６】
本発明は前記課題に着目してなされたものであり、その目的とするところは、洗滌性の良いシリンダ部を構成でき、かつピストンの摺動抵抗が少なく、しかもピストンの一部が変形しても動作に支障が起きにくいようにした内視鏡吸引制御装置を提供することにある。
【０００７】
【課題を解決するための手段および作用】
（手段）
本発明は、シリンダ内面の中間部側壁に開口して形成され、内視鏡の先端において一端が開口した第１の管路の他端を接続した第１の開口部と、一端が吸引装置に接続される第２の管路の他端に接続した開口により形成された第２の開口部とを有したシリンダと、前記シリンダ内面に摺動自在に嵌合される円筒部を備え、前記円筒部は下端を開放して前記第２の開口部に連通する開放用孔を形成し、前記円筒部の周側壁には前記第１の開口部に対向可能であって前記第１の開口部に対向したとき前記第１の開口部に前記開放用孔を連通することにより前記第１の開口部と前記第２の開口部を連通させる管路制御孔を形成してなるピストンと、を具備し、前記円筒部の外周に前記円筒部の下端から前記管路制御孔の周囲の位置まで達し、かつ前記管路制御孔の周囲を残して段差を形成して前記シリンダ内面に接する前記円筒部の摺動部よりも小径の非嵌合部を設けたことを特徴とする内視鏡吸引制御装置である。
【０００８】
（作用）
シリンダ内に嵌合するピストンの一部に、シリンダの内面に接する嵌合部よりも小径の非嵌合部を設けたので、シリンダとの嵌合部の領域が減り、シリンダとの摺動面積が減少して摺動抵抗が減り、ピストンの操作性が向上する。また、ピストンを仮に落しても嵌合部が傷つき難い。特に傷つ付き易いピストンの先端部に小径の非嵌合部を設けた場合には嵌合不良の発生をかなり抑えることが可能である。
【０００９】
【発明の実施の形態】
（第１の実施形態）
図１〜図５に基づいて、第１の実施形態に係る内視鏡１を説明する。図１は内視鏡１の全体を概略的に示す構成の説明図である。内視鏡１は操作部２に挿入部３を連結してなり、操作部２にはユニバーサルコード４が連結されている。
【００１０】
前記操作部２における本体５は、挿入部３の軸方向に比較的長く形成された部材からなり、その中間部分は握り部６となっている。握り部６より挿入部３側に位置する端部の側壁には後述する処置具挿通孔（鉗子チャンネル）７の挿入口８が設けられている。処置具挿通孔７を形成する管状部材はその挿入口８から挿入部３内を通じて導かれ、その処置具挿通孔７の先端は挿入部３の先端に形成した先端開口部９に連通している。
【００１１】
前記挿入口８には気密性を保持するシール部材（鉗子栓）１０が設けられている。操作部２の手元側端部には送気送水切換え弁１１と、後述する吸引制御装置としての吸引切換え弁１２とが並べて設けられている。そして、前記送気送水切換え弁１１は図示しない送気送水管路を切り換えて送気と送水の動作を制御するようになっている。
【００１２】
また、操作部２内において処置具挿通孔７の、挿入口８側近傍部分には、吸引チューブ１３の先端が接続されている。吸引チューブ１３は操作部２およびユニバーサルコード４にわたり挿入配置されている。そして、処置具挿通孔７から吸引チューブ１３にわたりこれらにより吸引管路１４を形成している。吸引チューブ１３はユニバーサルコード４のコネクタ部１５まで延長され、そのコネクタ部１５に設けられた口金１６に接続されている。口金１６はコネクタ部１５の外側面より突出しており、口金１６には図示しない接続チューブなどを介して同じく図示しない吸引器が接続されるようになっている。
【００１３】
操作部２における吸引チューブ１３の途中には、前記吸引切換え弁１２が介挿されている。そして、この吸引切換え弁１２によって吸引管路１４を通じての吸引動作を制御するようになっている。吸引管路１４は吸引切換え弁１２を境にして先端側部分を第１の管路と後端側部分を第２の管路とする。
【００１４】
吸引切換え弁１２は図２で示すように構成されている。前記操作部２における本体５の壁部に形成した取付け孔２０に嵌め込んで取着されるシリンダ２１とこれに摺動可能に嵌挿されるピストン２２を有している。シリンダ２１は上端部外周にねじ部２３を形成し、このねじ部２３にリング状の取付け台座２４をねじ込んで本体５に固定している。つまり、取付け台座２４とシリンダ２１側に形成した取付け用段差２５との間で、本体５の壁部を挟み込んで、シリンダ２１を本体５に固定する。なお、取付け孔２０の内面とシリンダ２１の外面との間にはＯリング状のシール２６が介在して設けられている。
【００１５】
シリンダ２１の中間部側壁部分にはシリンダ２１の中心軸に対して斜めの（第１の）開口部３０が形成され、この開口部３０には第１の連結用パイプ３１が接続されている。また、シリンダ２１の下端側開口（第２の開口部）にはシリンダ２１と同軸的に延出される第２の連結用パイプ３２が接続されている。そして、第１の連結用パイプ３１には、吸引チューブ１３における上流側チューブ１３ａが接続され、また、第２の連結用パイプ３２には吸引チューブ１３における下流側チューブ１３ｂが接続されている。
【００１６】
上流側チューブ１３ａを接続する開口部３０はピストン２２を取り外したシリンダ２１の開口部分から差し込んだ洗滌用ブラシを、上流側チューブ１３ａ内へスムーズに差し込ませるために斜めの角度が付けられており、その開口部３０の形状は、図３の（ｂ）で示すように、シリンダ２１の中心軸に平行な長軸に持つ楕（長）円形の孔部分となっている。
【００１７】
一方、ピストン２２は下端を開放した有底穴からなる中空部３５が形成されている。シリンダ２１の内面に摺動するピストン２２の円筒外周面部の周壁部には外端側寄りに位置して開孔３６が形成されている。この開孔３６の形状は加工の簡便性と加工費を踏まえ、図３の（ｂ）で示すように真円形状となっている。
【００１８】
ピストン２２の外周にはピストン２２の回転を規制するために、その中心軸方向に平行な長いガイド溝３７が形成され、一方、シリンダ２１にはそのガイド溝３７に嵌まり込むガイドピン３８が設けられている。前記開孔３６と対向して反対側に位置した、ピストン２２の外周壁部には、通気用補助孔３９が形成されている。
【００１９】
前記ピストン２２の外端部外周にはねじ部４１が形成され、このねじ部４１には、ばね受け４２がねじ込んで連結されている。このばね受け４２の外端部にはキートップ（操作ボタン部）４３が取り付けられている。そして、この部分は前記取付け台座２４に同心的に取り付けられた弾性材料による取付け部材４４により内包されている。また、取付け部材４４は取付け台座２４に対して着脱可能である。
【００２０】
取付け部材４４には、待機状態でのピストン２２を掛止し、その待機状態に位置決めを行う位置決め突出部４５を備えたインサート部材４６が付設されている。ばね受け４２と位置決め突出部４５との間にはコイルばね４７が介在しており、通常、コイルばね４７の付勢により、ばね受け４２、キートップ４３を介してピストン２２は図２で示す上昇した位置に待機させられている。なお、インサート部材４６の立上がり壁部には、通気孔４８が形成されている。
【００２１】
しかして、内視鏡１を使用する場合、そのユニバーサルコード４のコネクタ部１５を光源装置に接続し、さらに口金１６に図示しない吸引装置を接続する。そして、吸引装置に吸引動作を行わせる。吸引切換え弁１２が待機状態のままであると、その吸引切換え弁１２のキートップ４３と取付け部材４４との間隙を通じて外気を取り込まれ、この外気は、通気孔４８、開孔３６、補助孔３９、中空部３５、第２の連結用パイプ３２、および吸引チューブ１３における下流側チューブ１３ｂを経て流れる。このとき、シリンダ２１の開口部３０はピストン２２の円筒外周面で遮蔽されており、このため、第１の連結用パイプ３１、吸引チューブ１３における上流側チューブ１３ａ、処置具挿通孔７を通じての空気の流れは遮断される。つまり吸引動作は行われない。
【００２２】
次に、内視鏡１の使用中、体腔内の汚物等を吸引して排出しようとする場合には、キートップ４３の上部に指を当て押圧することによりピストン２２を下方へ移動させる。ばね受け４２の一部が取付け部材４４の位置決め突出部４５に突き当たるまで押し下げる。このとき、ピストン２２はガイド溝３７に嵌まるガイドピン３８により回転が規制されるため、ピストン２２の開孔３６がシリンダ２１の開口部３０に対向一致し、中空部３５を通じて吸引チューブ１３に連通する。また、ピストン２２の上部周面がシリンダ２１の上部を塞ぎ、外部への連通を遮断する。しかして、内視鏡１の吸引管路１４が連通して吸引動作が行われ、この吸引作用の働きにより、汚物を吸引して外部に排出することができる。
【００２３】
さらに、前述した吸引切換え弁１２において、前記ピストン２２の内端部外周には、小径の段差部１０１が形成されている。この段差部１０１は図２乃至図４で示すように、シリンダ２１の内周面と嵌合しない非嵌合部として全周にわたり小径に形成されている。
段差部１０１は先端からの軸方向の長さが周部位置で異なっていても、同じ長さであっても良いが、ここでは、開孔３６側に位置する部分の先端からの長さＬ１が、図２で示す待機位置においてシリンダ２１との間にピストン２２の嵌合長Ｌ２を確保するために短く形成され、他の部分ではそれ以上に先端から長くとって形成されている。また、前記開孔３６と反対側に位置する通気用補助孔３９の縁との間には距離Ｌ３の長さを確保して形成されている。そして、この部分での段差部１０１の先端からの長さＬ１´が最も長く形成されている。
【００２４】
図５（ａ）は、図２で示す待機状態（非吸引状態）に対応させたピストン２２の外表面の展開図である。符号１０２はシリンダ２１の上端であり、符号１０３はピストン２２の先端（下端）を指す。シリンダ２１とピストン２２とが嵌合する嵌合部１０６の嵌合部分は斜線で示すαの部分であり、この部分によってシリンダ２１の開口部３０を遮蔽する。この遮蔽する領域において開口部３０の周囲に位置する上下左右の各部分の長さＬ２，Ｌ４，Ｌ５は、それぞれ１．７ｍｍ以上の長さを確保するようにしてある。従って、開口部３０の周辺の遮蔽部分を確保した上で、段差部１０１の領域が極力大きくなるように形成されている。待機状態において、開口部３０の周辺の遮蔽効果が十分に確保され、意図しない上流側からの吸引、つまり開口部３０を通じての吸引がない。ピストン２２とシリンダ２１との嵌合部１０６は全周にわたり嵌合するようになっているため、ピストン２２が傾いたりしない。
【００２５】
また、図３で示す吸引状態でのピストン２２の外表面を展開すると図５（ｂ）で示すようになる。このとき、シリンダ２１とピストン２２とが嵌合する嵌合部１０６の嵌合部分は斜線で示すβの部分であり、この部分によってシリンダ２１の開口部３０の周囲を覆うと共に、ピストン２２の開孔３６がシリンダ２１の開口部３０に一致して連通し、吸引できる状態にある。
【００２６】
また、ピストン２２の開孔３６および通気用補助孔３９はその周囲が、ピストン２２とシリンダ２１との嵌合領域部βによって遮蔽されているが、そのとき、図５（ｂ）で示すように開孔３６および通気用補助孔３９の上下部分の長さＬ３，Ｌ６，Ｌ７はそれぞれ１．７ｍｍ以上の長さを確保している。したがって、開孔３６及び通気用補助孔３９の周辺の遮蔽効果は十分であり、開口部３０及び開孔３６を通じての上流側からの吸引を確実に行うことができる。各長さＬ２，Ｌ３，Ｌ４，Ｌ５，Ｌ６，Ｌ７が最小の１．７ｍｍにすることによって前記構成においての段差部１０１を極力大きくとることができる。
【００２７】
尚、図５（ａ）に示したα部は、シリンダ２１の開口部３０の形状に合わせた半円形（アール形状）にしたが、図５（ｃ）で示すように、直角形状に形成してもよい。このような矩形とすることによって段差部１０１の加工がし易くなり、その加工費を低減することができる。
【００２８】
なお、シリンダ２１及びピストン２２の嵌合周面部分は加工による表面荒さが少ない方が高い遮蔽効果、摺動効果を得られ、表面荒さは少なくとも３．２Ｓ以下であることが望ましい。
【００２９】
上述したような構成とすることによりシリンダ２１とピストン２２の嵌合する部分が少なくなり、両者の摺動抵抗が少ない。このとき、段差部１０１を大きくとればとるほど、その効果は高い。
また、シリンダ２１とピストン２２を摺動させたとき、シリンダ２１とピストン２２の間の微小な隙間に入り込もうとする汚物は、その段差部１０１とシリンダ２１の間に形成される空間１０７に収容され、シリンダ２１とピストン２２の間に入り込むことを防げる。したがって、シリンダ２１とピストン２２の間に汚物が入り込むことによるシリンダ２１とピストン２２の摺動が不良になることを防止できる。この場合にも段差部１０１を大きくとればとるほど、その効果は高い。
また、ピストン２２の先端縁部付近が全周にわたり段差部１０１によって小径になっており、この小径の段差部１０１の部分はシリンダ２１の内面と嵌合しないので、ピストン２２の先端縁部が、ピストン２２を落とすことなどにより仮に変形することがあってもシリンダ２１に挿入することができると共に、ピストン２２はシリンダ２１と正常に嵌合して円滑に摺動させることができる。
【００３０】
（第２実施形態）
図６に基づいて、第２の実施形態に係る内視鏡吸引制御装置を説明する。これは、第１実施形態においてのピストン２２の段差部１０１の壁部に、中空部３５に連通する貫通孔１０８を１個以上設けたものである。また、ピストン２２の段差部１０１の段差端縁に生じた稜部に、０゜以上９０゜以下の面取り部１１３を設けた。
【００３１】
そして、段差部１０１に貫通孔１０８を設ければ、シリンダ２１の内面と段差部１０１との間の空間１０７に堆積された汚物が、貫通孔１０８から中空部３５内に入り込み易く、上流側に吸引されるようになるため、その空間１０７内に汚物が堆積しにくくなる。このため、汚物の堆積によるシリンダ２１とピストン２２の摺動が不良になることを防止できる。
また、ピストン２２の段差部１０１の段差端縁の稜部に面取り部１１３を設けたので、シリンダ２１へのピストン２２の挿入性、及び摺動性が向上する。
【００３２】
（第３実施形態）
図７に基づいて、第３の実施形態に係る内視鏡を説明する。この内視鏡１では上述した第１の実施形態においてのピストン２２の先端部１０４に、１個以上の切欠き部１０９を設けたものである。また、ピストン２２の外周部のうち少なくともシリンダ２１の内面と摺動する嵌合部分１１０の表面には潤滑性の高いフッ素系樹脂、例えばＰＴＦＥ（テフロン）の粒子を含んだメッキ処理を施した。
【００３３】
ピストン２２の先端部１０４に切欠き部１０９を設けたことによりピストン２２の先端部１０４の体積が減少する。また、ピストン２２を誤って落としたときなどによって破損や傷が付き易い先端部１０４が小さくなるので、ピストン２２の先端部１０４の破損や傷によるシリンダ２１への挿入・摺動不良が極力防止できるようになる。また、ピストン２２の摺動する部分１１０の表面に、潤滑性の高いフッ素系樹脂粒子を含んだメッキ処理を施したので、ピストン２２の摺動性が向上する。さらに、ピストン２２の表面硬度が硬くなるため、ピストン２２の表面が傷つき難くなり、ピストン２２の破損、傷によるシリンダ２１への挿入・摺動不良を防止できる。尚、窒化処理や他の硬度アップ処理によって硬度を硬くしても良い。
【００３４】
（第４の実施形態）
図８に基づいて、第４の実施形態に係る内視鏡を説明する。この内視鏡１では第１の実施形態のものにおいて、シリンダ２１側の内周面に、押し込み操作したときのピストン２２の先端部、特に段差部１０１に対向して、大径となったシリンダ側段差部１１１を設けたものである。また、シリンダ２１の下方部位に位置して押し込んだピストン２２の先端部１０４が当たる当接部１１２を設けた。
【００３５】
シリンダ２１側に大径となったシリンダ側段差部１１１を設けたので、段差部１０１の間の空間１０７が大きくなり、汚物の収容体積を増やすことができる。また、押し込んだピストン２２の先端部１０４が当たる当接部１１２を設けたので、シリンダ２１とピストン２２の間への汚物の進入防止効果が大きくなる。
【００３６】
（第５の実施形態）
第１の実施形態において、コイルばね４７のばねの押し込み力量を８００〜１２００ｇｆにしたものである。押し込んだピストン２２を元の状態に戻すのはコイルばね４７のばね力量によるものであり、そのばね力量を増やせば摺動不良の防止になる。しかしながら、押し込み力量が重くなってしまうので操作性が悪くなる。押し込み易さの限界力量が上記値である。
【００３７】
［付記］
１．内視鏡の挿入部先端において一端が開口した第１の管路の他端を接続する第１の開口部と、一端が吸引装置に接続される第２の管路の他端を接続する第２の開口部とを有したシリンダと、
前記シリンダに嵌挿され、第１の開口部に対して選択的に対向して前記第１の開口部と第２の開口部を連通する管路制御孔を有したピストンとを具備した内視鏡吸引制御装置において、
前記シリンダ内に嵌合するピストンの一部に、前記シリンダの内面に接する嵌合部よりも小径の非嵌合部を設けたことを特徴とする内視鏡吸引制御装置。
２．非嵌合部は、ピストンの先端部に設けたことを特徴とする第１項のもの。
【００３８】
３．第１の開口部はシリンダの側壁に設け、第２の開口部はシリンダの底面に設け、ピストンはシリンダの上面の開口部から挿入し、ピストンの先端部はシリンダの底面側に位置し、管路制御孔はピストンの側面に開口する第１の制御孔と先端部に開口している第２の制御孔と前記第１の制御孔と第２の制御孔を連通する連通孔からなることを特徴とする第２項のもの。
４．ピストンとシリンダの嵌合部は、ピストンの全周にわたり設けられていることを特徴とする第３項のもの。
５．ピストンは、第１の開口部の周囲において吸引時および非吸引時のいづれの場合も嵌合する常時嵌合部を有していることを特徴とする第４項のもの。
６．ピストンは、第１の制御孔の周囲において吸引時および非吸引時のいづれの場合もシリンダと嵌合している第２の常時嵌合部を有していることを特徴とする第４項のもの。
７．常時嵌合部は、１．７ｍｍ以上の長さを有していることを特徴とする第５，６項のもの。
【００３９】
８．ピストンは、ＰＴＦＥ粒子を含むメッキ処理がなされていることを特徴とする第１項のもの。
９．メッキ処理は、シリンダとの嵌合部表面に施されていることを特徴とする第８項のもの。
１０．ピストンの非嵌合部には、連通孔と連通する貫通孔を有することを特徴とする第１項のもの。
１１．ピストンの先端部には、長手方向に伸びる切欠き部を設けたことを特徴とする第１項のもの。
【００４０】
１２．シリンダは、ＰＴＦＥ粒子を含むメッキ処理がなされていることを特徴とする第１項のもの。
１３．メッキ処理は、ピストンとの嵌合部表面に施されていることを特徴とする第１２項のもの。
１４．非嵌合部は軸方向の長さが周方向で異なることを特徴とする第４項のもの。
１５．非嵌合部の軸方向の長さは、前記第１の開口部と対向する方向が最短であることを特徴とする第１４項のもの。
１６．シリンダの一部を前記ピストンとの嵌合部よりも大径に設けて非嵌合部としたことを特徴とする第１項のもの。
１７．非嵌合部は、ピストンに設けた非嵌合部付近に設けていることを特徴とする第１６項のもの。
【００４１】
【発明の効果】
以上説明したように本発明の内視鏡吸引制御装置の構成によれば、洗滌性の良いシリンダ部を構成でき、かつピストンの摺動抵抗が少なく、しかもピストンの一部がなんらかの理由で変形しても動作に支障が起きにくい。
【図面の簡単な説明】
【図１】第１の実施形態に係る内視鏡全体の概略的な構成を示す説明図である。
【図２】前記内視鏡の吸引制御装置の待機位置での断面図である。
【図３】（ａ）は前記内視鏡の吸引制御装置の待機位置での断面図、（ｂ）はそのピストンの開孔とシリンダの開口部との関係を示す説明図である。
【図４】前記ピストンの先端部の斜視図である。
【図５】（ａ）は待機状態に対応させたピストンの外表面の展開図、（ｂ）は吸引状態でのピストンの外表面を展開図、（ｃ）は他の例のピストンの外表面の展開図である。
【図６】（ａ）は第２の実施形態に係る内視鏡吸引制御装置のピストンの先端部の斜視図、（ｂ）はそのシリンダとピストンの嵌合部の一部の断面図、（ｃ）はその待機状態に対応させたピストンの外表面の展開図である。
【図７】第３の実施形態に係る内視鏡吸引制御装置のピストンの先端部の斜視図である。
【図８】第４の実施形態に係る内視鏡吸引制御装置のシリンダとピストンの嵌合部の一部の断面図である。
【符号の説明】
１…内視鏡、２…操作部、３…挿入部、７…処置具挿通孔、１２…吸引切換え弁、１３…吸引チューブ、１４…吸引管路、２１…シリンダ、２２…ピストン、３０…開口部、３６…開孔、１０１…小径の段差部。
【図１】
0003806509.tif 000002
【図２】
0003806509.tif 000003
【図３】
0003806509.tif 000004
【図４】
0003806509.tif 000005
【図５】
0003806509.tif 000006
【図６】
0003806509.tif 000007
【図７】
0003806509.tif 000008
【図８】
0003806509.tif 000009